(57)【要約】      （修正有）【課題】データ通信システムにおける改良されたマージン制御のための技術を提供する。【解決手段】マージンは第一のサブパケット誤り率に応じて調整される（７１５）〜（７３５）。別の形態では、マージンは全体パケット誤り率に応じてさらに調整される。さらに別の形態では、第一のサブパケット誤り率は全体パケット誤り率に応じて調整される。これらの形態は全体パケット誤り率が比較的低いとき反応のよいマージン制御の恩恵があり、改良されたデータ処理能力の改善及びシステム容量の増加に帰着する。【選択図】図７
2011151827.tif 000002
【特許請求の範囲】
【請求項１】
パケットを伝送するための送信器によって動作可能であり、各パケットが一以上のサブパケットで伝送される装置であって、
サブパケット伝送に応じて誤りメッセージを受信するための受信器、及び
第一のサブパケットが誤りとして受信されたことを誤りメッセージが示すとき電力マージンを第一の値だけ増加させ、且つ第一のサブパケットが誤りなしで受信されたことを誤りメッセージが示すとき電力マージンを第二の値だけ減少させるプロセッサを具備する装置。
【請求項２】
受信チャネル品質指標及び電力マージンに応じて伝送フォーマットを決定するためのスケジューラをさらに具備する、請求項１記載の装置。
【請求項３】
受信チャネル品質指標値はフィルタにかけられる、請求項２記載の装置。
【請求項４】
受信器はさらに無線通信デバイスからパイロット信号を受信し、且つ
スケジューラは受信パイロット信号エネルギーが所定の閾値を超えるときのみ無線通信デバイスへの伝送をスケジュールする 、請求項２記載の装置。
【請求項５】
第一の値は第一のサブパケット誤り率に従って決定される、請求項１記載の装置。
【請求項６】
第二の値は第一のサブパケット誤り率に従って決定される、請求項１記載の装置。
【請求項７】
第一の値は所定のパラメータｘであり、第二の値はｓをサブパケット誤り率とすると、
ｘ・ｓ／（１−ｓ）
として計算される、請求項１記載の装置。
【請求項８】
プロセッサはさらに電力マージンの増加を所定の上限に制限する、請求項１記載の装置。
【請求項９】
プロセッサはさらに電力マージンの減少を所定の下限に制限する、請求項１記載の装置。
【請求項１０】
プロセッサはさらに、
第一のサブパケット以外のサブパケットがエラーなしで受信されたことを誤りメッセージが示すとき、電力マージンを第三の値だけ減少させ、且つ
最終のサブパケットが誤って受信されたことを誤りメッセージが示すとき、電力マージンを第四の値だけ増加させる、請求項１記載の装置。
【請求項１１】
第三の値はパケット誤り率に従って決定される、請求項１０記載の装置。
【請求項１２】
第四の値はパケット誤り率に従って決定される、請求項１０記載の装置。
【請求項１３】
第四の値は所定のパラメータｙであり、第三の値はｓ２をパケット誤り率とすると、
ｙ・ｓ２／（１−ｓ２）
として計算される、請求項１０記載の装置。
【請求項１４】
プロセッサはさらに、
第一のサブパケット以外のサブパケットが誤りなしで受信されたことを誤りメッセージが示すとき、ｓを第五の値だけ増加させ、且つ
最終のサブパケットが誤って受信されたことを誤りメッセージが示すとき、ｓを第六の値だけ減少させる、請求項７記載の装置。
【請求項１５】
第五及び第六の値はパケット誤り率に従って決定される、請求項１４記載の装置。
【請求項１６】
制御パケットを伝送するための送信器によってさらに動作可能であって、 
受信器はさらに制御誤りメッセージを受信し、且つ
プロセッサは制御チャネルが誤って受信されたことを制御誤りメッセージが示すとき制御マージンを増加させ、制御チャネルが誤り無しで受信されたことを制御誤りメッセージが示すとき制御マージンを減少せる、請求項１記載の装置。
【請求項１７】
受信器はさらにパイロット信号を受信し、且つ
プロセッサは受信制御誤りメッセージの値にかかわりなく、パイロット信号エネルギーが所定の閾値を超えないとき、制御誤りメッセージが誤りを示すとこを決定する、請求項１６記載の装置。
【請求項１８】
パケットを伝送するための送信器によって動作可能であり、各パケットが一以上のサブパケットで伝送される無線通信デバイスであって、
サブパケット伝送に応じて誤りメッセージを受信するための受信器、及び
第一のサブパケットが誤りとして受信されたことを誤りメッセージが示すとき第一の値だけ電力マージンを増加させ、且つ第一のサブパケットが誤りなしで受信されたことを誤りメッセージが示すとき第二の値だけ電力マージンを減少させるプロセッサを具備する無線通信デバイス。
【請求項１９】
パケットを伝送するための送信器によって動作可能であり、各パケットが一以上のサブパケットで伝送される無線通信システムであって、
サブパケット伝送に応じて誤りメッセージを受信するための受信器、及び
第一のサブパケットが誤りとして受信されたことを誤りメッセージが示すとき第一の値だけ電力マージンを増加させ、且つ第一のサブパケットが誤りなしで受信されたことを誤りメッセージが示すとき第二の値だけ電力マージンを減少させるプロセッサを具備する無線通信システム。
【請求項２０】
サブパケット伝送に応じて誤りメッセージを受信すること、
第一のサブパケットが誤って受信されたことを示すとき、電力マージンを第一の値だけ増加させること、及び
第一のサブパケットが誤りなしで受信されたことを示すとき、電力マージンを第二の値だけ減少させることを含むマージン制御の方法。
【請求項２１】
チャネル品質指標を受信すること、及び
受信チャネル品質指標及び電力マージンに応じて伝送フォーマットを決定することをさらに含む、請求項２０記載の方法。
【請求項２２】
受信チャネル品質指標値をフィルタにかけることをさらに含む、請求項２１記載の方法。
【請求項２３】
パイロット信号を受信すること、及び
受信パイロット信号が所定の閾値を超えるときだけ伝送をスケジュールすることをさらに含む、請求項２１記載の方法。
【請求項２４】
第一の値は第一のサブパケット誤り率に従って決定される、請求項２０記載の方法。
【請求項２５】
第二の値は第一のサブパケット誤り率に従って決定される、請求項２０記載の方法。
【請求項２６】
第一の値は所定のパラメータｘであり、第二の値はｓをサブパケット誤り率とすると、
ｘ・ｓ／（１−ｓ）
として計算される、請求項２０記載の方法。
【請求項２７】
電力マージンの増加を所定の上限に制限することをさらに含む、請求項２０記載の方法。
【請求項２８】
電力マージンの減少を所定の下限に制限することをさらに含む、請求項２０記載の方法。
【請求項２９】
第一のサブパケット以外のサブパケットが誤りなしで受信されたことを誤りメッセージが示すとき、電力マージンを第三の値だけ減少させること、及び
最終のサブパケットが誤って受信されたことを誤りメッセージが示すとき、電力マージンを第四の値だけ増加させることをさらに含む、請求項２０記載の方法。
【請求項３０】
第三の値はパケット誤り率に従って決定される、請求項２９記載の方法。
【請求項３１】
第四の値はパケット誤り率に従って決定される、請求項２９記載の方法。
【請求項３２】
第四の値は所定のパラメータｙであり、第三の値はｓ２をパケット誤り率とすると、
ｙ・ｓ２／（１−ｓ２）
として計算される、請求項２９記載の方法。
【請求項３３】
第一のサブパケット以外のサブパケットが誤りなしで受信されたことを誤りメッセージが示すとき、ｓを第五の値だけ増加させること、及び
最終サブパケットが誤って受信されたことを誤りメッセージが示すとき、ｓを第六の値だけ減少させることをさらに含む、請求項２６記載の方法。
【請求項３４】
第五及び第六の値はパケット誤り率に従って決定される、請求項３３記載の方法。
【請求項３５】
伝送された制御パケットに応じて制御誤りメッセージを受信すること、
制御チャネルが誤って受信されたことを制御誤りメッセージがを示すとき、制御マージンを増加させること、及び
制御チャネルが誤りなしで受信されたことを制御誤りメッセージがを示すとき、制御マージンを減少させることをさらに含む、請求項２０記載の方法。
【請求項３６】
パイロット信号を受信すること、及び
受信制御誤りメッセージの値にかかわりなく、パイロット信号エネルギーが所定の閾値を超えないとき制御誤りメッセージが誤りを示すと決定することをさらに含む、請求項３５記載の方法。
【請求項３７】
サブパケット伝送に応じて誤りメッセージを受信する手段、
第一のサブパケットが誤って受信されたことを誤りメッセージが示すとき、電力マージンを第一の値だけ増加させる手段、及び
第一のサブパケットが誤りなしで受信されたことを誤りメッセージが示すとき、電力マージンを第二の値だけ減少させる手段を具備する装置。
【請求項３８】
第一のサブパケット以外のサブパケットが誤りなしで受信されたことを誤りメッセージが示すとき、電力マージンを第三の値だけ減少させる手段、及び
最終サブパケットが誤って受信されたことを誤りメッセージが示すとき、電力マージンを第四の値だけ増加させる手段をさらに具備する、請求項３７記載の装置。
【請求項３９】
伝送された制御パケットに応じて制御誤りメッセージを受信する手段、
制御チャネルが誤って受信されたことを制御誤りメッセージが示すとき、制御マージンを増加させる手段、及び
制御チャネルが誤りなしで受信されたことを制御誤りメッセージが示すとき、制御マージンを減少させる手段をさらに具備する、請求項３７記載の装置。
【請求項４０】
サブパケット伝送に応じて誤りメッセージを受信する手段、
第一のサブパケットが誤って受信されたことを誤りメッセージが示すとき、電力マージンを第一の値だけ増加させる手段、及び
第一のサブパケットが誤りなしで受信されたことを誤りメッセージが示すとき、電力マージンを第二の値だけ減少させる手段を具備する無線通信システム。
【請求項４１】
第一のサブパケット以外のサブパケットが誤りなしで受信されたことを誤りメッセージが示すとき、電力マージンを第三の値だけ減少させる手段、及び
最終サブパケットが誤って受信されたことを誤りメッセージが示すとき、電力マージンを第四の値だけ増加させる手段をさらに具備する、請求項４０記載の無線通信システム。
【請求項４２】
伝送された制御パケットに応じて制御誤りメッセージを受信する手段、
制御チャネルが誤って受信されたことを制御誤りメッセージが示すとき、制御マージンを増加させる手段、及び
制御チャネルが誤りなしで受信されたことを制御誤りメッセージが示すとき、制御マージンを減少させる手段をさらに具備する、請求項４０記載の無線通信システム。
【請求項４３】
サブパケット伝送に応じて誤りメッセージを受信するステップ、
第一のサブパケットが誤って受信されたことを誤りメッセージが示すとき、電力マージンを第一の値だけ増加させるステップ、及び
第一のサブパケットが誤りなしで受信されたことを誤りメッセージが示すとき、電力マージンを第二の値だけ減少させるステップ、を実行するため動作可能なプロセッサ可読媒体。
【請求項４４】
第一のサブパケット以外のサブパケットが誤りなしで受信されたことを誤りメッセージが示すとき、電力マージンを第三の値だけ減少させるステップ、及び
最終サブパケットが誤って受信されたことを誤りメッセージが示すとき、電力マージンを第四の値だけ増加させるステップ、を実行するためさらに動作可能な請求項４３記載の媒体。
【請求項４５】
伝送された制御パケットに応じて制御誤りメッセージを受信するステップ、
制御チャネルが誤って受信されたことを制御誤りメッセージが示すとき、制御マージンを増加させるステップ、及び
制御チャネルが誤りなしで受信されたことを制御誤りメッセージが示すとき、制御マージンを減少させるステップ、を実行するためさらに動作可能な請求項４３記載の媒体。
【発明の詳細な説明】
【技術分野】
【０００１】
本発明は一般に通信に関係し、特にデータ通信システムにおけるマージン制御のための新規で、改良された方法及び装置に関係する。
【背景技術】
【０００２】
無線通信システムは音声及びデータといった様々な形の通信を提供するために広く利用されている。これらのシステムは符号分割多元接続（ＣＤＭＡ）、時分割多元接続（ＴＤＭＡ）、またはその他のいくつかの変調技術に基づいている。システム容量の増加を含め、ＣＤＭＡシステムは他の形のシステムに対して或る利点を提供する。
【０００３】
ＣＤＭＡシステムは、（１）「ＴＩＡ／ＥＩＡ−９５−Ｂ：二重モード広帯域スペクトル拡散セルラ・システムに関する移動局−基地局互換規格（TIA/EIA-95-B Mobile Station-Base Station Compatibility Standard for Dual-Mode Wideband Spread Spectrum Cellular System：ＩＳ−９５規格）」、（２）「第三世代共同プロジェクト（3rd Generation Partnership Project：３ＧＰＰ）」連合により提案され、文書番号３Ｇ  ＴＳ  ２５．２１１、３Ｇ  ＴＳ  ２５．２１２、３Ｇ  ＴＳ  ２５．２１３、及び３Ｇ  ＴＳ  ２５．２１４を含む一組の文書において体系化された規格（Ｗ−ＣＤＭＡ規格）、（３）「第三世代共同プロジェクト２（3rd Generation Partnership Project 2：３ＧＰＰ２）」連合により提案され、「ＴＲ−４５．５：ｃｄｍａ２０００スペクトル拡散システムに関する物理層規格（TR-45.5 Physical Layer Standard for cdma2000 Spread Spectrum Systems）」において体系化された規格（ＩＳ−２０００規格）、及び（４）その他のいくつかの規格など一以上のＣＤＭＡ規格に対応するように設計される。
【０００４】
上記の規格では、利用可能なスペクトルは多数のユーザーの間で共有され、電力制御及びソフト・ハンドオフといった技術が音声のような遅延に敏感なサービスに対応するのに十分な品質を維持するために使われる。データ・サービスもまた利用可能である。さらに最近では、高次の変調、移動局からのキャリア対雑音比（Carrier to Interference ratio：Ｃ／Ｉ）の高速フィードバック、高速のスケジュール、及びもっと緩やかな遅延条件をもつサービスに対するスケジュールを使用することによってデータ・サービスに対する容量を向上させるシステムが提案されてきた。これらの技術を使用するそのようなデータのみの通信システムの例はＴＩＡ／ＥＩＡ／ＩＳ−８５６規格（ＩＳ−８５６規格）に適合する高データ伝送率（high data rate：ＨＤＲ）システムである。
【０００５】
その他の上記の規格とは異なって、ＩＳ−８５６規格はデータを１ユーザーに一度に送るために各セルにおいて利用可能で、回線品質に基づいて選択された全体のスペクトルを使用する。それを行う際、そのチャネルが良好なとき、システムはより高い伝送率でデータを送るのに大部分の時間を費やし、それによって非能率な伝送率に対応する通信資源を避ける。その最終効果はより高いデータ容量、より高いピーク・データ伝送率、及びより高い平均処理能力である。
【０００６】
システムはＩＳ−２０００規格に対応する音声チャネルまたはデータ・チャネルといった遅延に敏感なデータに対する対応を、ＩＳ−８５６規格に記載されているようなパケット・データ・サービスへの対応と共に組入れることができる。そのような一つのシステムはＬＧ電子、ＬＳＩロジック、ルーセント・テクノロジーズ、ノーテル・ネットワークス、クァルコム社、及び三星によって第三世代共同プロジェクト２（３ＧＰＰ２）に提出された提案に記載されている。その提案は文書番号Ｃ５０− ２００１０６１−００９（２００１年６月１１日）として３ＧＰＰ２に提出された「１ｘＥＶ−ＤＶに関する最新共同物理層提案（Updated Joint Physical Layer Proposal for 1xEV-DV ）」、文書番号Ｃ５０− ２００１０８２０−０１１（２００１年８月２０日）として３ＧＰＰ２に提出された「Ｌ３ＮＱＳシミュレーション研究の結果（Results of L3NQS Simulation Study）」、及び文書番号Ｃ５０− ２００１０８２０−０１２（２００１年８月２０日）として３ＧＰＰ２に提出された「Ｌ３ＮＱＳ  ｃｄｍａ２０００  １ｘＥＶ−ＤＶの構成に関するシステム・シミュレーション結果（System Simulation Results for the L3NQS Framework Proposal for cdma2000 1xEV-DV）」と題する文書に詳述されている。これら及び続いて派生した関連の文書は以後１ｘＥＶ−ＤＶ提案と呼ぶ。
【０００７】
１ｘＥＶ−ＤＶ提案に示されたようなシステムは四クラスのチャネル：即ち、オーバヘッド・チャネル、動的に変化するＩＳ−９５及びＩＳ−２０００チャネル、順方向パケット・データ・チャネル（Forward Packet Data Channel：Ｆ−ＰＤＣＨ）、及びいくつかの予備チャネルを含む。オーバヘッド・チャネル割当はゆっくりと変化し、それらは数か月間変わらない。主要な網構成の変化があるとき、それらは一般的に変わる。動的に変化するＩＳ−９５及びＩＳ−２０００チャネルは呼出ごとに割当てられ、もしくはＩＳ−９５、またはＩＳ−２０００のリリース０からBのパケット・サービスに使用される。一般的に、オーバヘッド・チャネル及び動的に変化するチャネルが割当てられた後の残りの利用可能な基地局電力は残りのデータ・サービスのためにＦ−ＰＤＣＨに割当てられる。Ｆ−ＰＤＣＨは遅延にあまり敏感ではないデータ・サービスのために使用され、一方ＩＳ−２０００チャネルはもっと遅延に敏感なサービスのために使用される。
【０００８】
ＩＳ−８５６規格におけるトラヒック・チャネルと同様に、Ｆ−ＰＤＣＨは最高対応可能なデータ伝送率でデータを１ユーザーに一度に送るために使用される。ＩＳ−８５６では、基地局の全体の電力及び全体のウォルシュ関数空間はデータを移動局に送るとき利用可能である。しかしながら、提案された１ｘＥＶ−ＤＶシステムでは、いくつかの基地局電力及びいくつかのウォルシュ関数はオーバヘッド・チャネル及び現行ＩＳ−９５及びｃｄｍａ２０００サービスに割付けされる。適応可能なデータ伝送率はオーバヘッド、ＩＳ−９５、及びｃｄｍａ２０００チャネルに関する電力及びウォルシュ符号が割当てられた後の主として利用可能な電力及びウォルシュ符号に依存する。Ｆ−ＰＤＣＨ上で伝送されるデータは一以上のウォルシュ符号を用いて拡散される。
【０００９】
多くのユーザーはセルにパケット・サービスを使用しているけれども、１ｘＥＶ−ＤＶ提案では、基地局は一般的にＦ−ＰＤＣＨ上の一つの移動局に一度に伝送する。（二以上のユーザーについて伝送をスケジュールし、且つ電力及び／またはウォルシュ・チャネルを各ユーザーに適切に割当てることによって二以上のユーザーに伝送することもまた可能である）。移動局はいくつかのスケジュールアルゴリズムに基づいて順方向回線伝送について選択される。
【００１０】
ＩＳ−８５６または１ｘＥＶ−ＤＶと同様のシステムでは、スケジュールはサービスされている移動局からのチャネル品質フィードバックに一部基づいている。例えば、ＩＳ−８５６では、移動局は順方向回線の品質を推定し、現状に対して維持可能であると予測される伝送速度を計算する。各移動局からの所望の伝送率は基地局に送られる。スケジュールアルゴリズムは、例えば、共有通信チャネルのより効率的な使用を行うために比較的高い伝送速度に対応する伝送のための移動局を選択する。別の例として、１ｘＥＶ−ＤＶシステムでは、各移動局はチャネル品質推定としてキャリア対雑音（carrier-to-interference ：Ｃ／Ｉ）推定値を送る。スケジュールアルゴリズムはチャネル品質に従って適切な伝送率及び伝送フォーマットと同様に、伝送のために選択される移動局を決定するために使用される。
【００１１】
チャネル品質推定精度は共有チャネルの効率的な使用へ導く最適なスケジュール及び伝送にとって重要である。チャネル品質推定精度はいくつかの要素による影響を受け、そのいくつの例は次に続く。現在の推定は将来の伝送を決定するために使用されるので、チャネルに介在する変化は推定の有用性に影響を及ぼす。速く減衰するチャネル環境では、この影響はさらに明白である。測定処理における制限もまた精度に影響を及ぼす。チャネル推定精度はまた逆方向回線上でその推定を伝送するとき誤差が導入されれば低下する。
【００１２】
これらの問題に取組むための一つの技術はチャネル推定における不確実性を相殺するマージンを導入することである。そのマージンは不確実性を補償するためにより控えめな伝送率及びフォーマットを選択するために使用され、チャネル状態変化の調整に動的に適応することができる。マージンを使用する外部制御回路（outer control loop）の一例は、「チャネル品質フィードバック機構をもつ通信システムに関する改良外部回路スケジュール設計（IMPROVED OUTER-LOOP SCHEDULING DESIGN FOR COMMUNICATION SYSTEMS WITH CHANNEL QUALITY FEEDBACK MECHANISMS）」と題し、２００２年４月３０日に出願され、本発明の譲請人に譲渡された同時係属米国特許出願第１０／１３６，９０６号に開示されている。この技術は所望のパケット誤り率が達成されるように、マージンを調整するために特定されたパケット誤りに基づいて制御ループを使用する。しかしながら、パケット誤り率が非常に低ければ、そのループは迅速に調整されないことがある。
【００１３】
共有通信チャネルの効率はチャネル品質フィードバックが信頼でき、且つマージンがチャネル環境の変化に対して効果的に適応されるときは向上する。従ってデータ通信システムにおける改良されたマージン制御が当技術分野において必要性がある。
【発明の概要】
【００１４】
ここに開示された実施例はデータ通信システムにおける改良されたマージン制御の必要性を扱う。一つの形態では、マージンは第一のサブパケット誤り率に応じて調整される。別の形態では、マージンはさらに全体のパケット誤り率に応じて調整される。さらに別の形態では、第一のサブパケット誤り率は全体のパケット誤り率に応じて調整される。様々なその他の形態もまた提案されている。これらの形態は全体のパケット誤り率が比較的低いとき敏感なマージン制御の効果があり、データ処理能力の改善及びシステム容量の増加をもたらす。
【００１５】
下記でさらに詳細に述べられるように、その発明は様々な形態、実施例及び発明の特徴を実施する方法及びシステム要素を提供する。
【００１６】
本発明の特徴、特性、および利点は同様な参照符号が全体にわたり対応して同一である図面と関連して取られる以下に始まる詳細な記述からさらに明らかになるであろう。
【図面の簡単な説明】
【００１７】
【図１】多数のユーザーに対応が可能な無線通信システムの一般的なブロック図である。
【図２】データ通信に適応するシステムにおいて構成される移動局及び基地局の例を図示する。
【図３】移動局または基地局といった無線通信デバイスのブロック図である。
【図４】Ｃ／Ｉフィルタリング方法の具体化例のフローチャートを図示する。
【図５】ＡＣＫ／ＮＡＫメッセージの信頼性を増大させるための具体化例のフローチャートを図示する。
【図６】ＡＣＫ／ＮＡＫエネルギー値の二つの例について受信エネルギーの分離を例示する。
【図７】外部制御ループの具体化例のフローチャートを図示する。
【図８】制御チャネル外部制御ループの具体化例のフローチャートを図示する。
【図９】外部−外部制御ループの具体化例のフローチャートを図示する。
【発明の詳細な説明】
【００１８】
図１は一以上のＣＤＭＡ規格及び／または設計（例えば、Ｗ−ＣＤＭＡ規格、ＩＳ−９５規格、ｃｄｍａ２０００規格、ＨＤＲ仕様、１ｘＥＶ−ＤＶ提案）に対応するように設計された無線通信システム１００の図である。代替実施例では、システム１００はまたＧＳＭ（登録商標）システムといったＣＤＭＡシステム以外のあらゆる無線規格或いは設計を利用する。
【００１９】
簡単にするために、システム１００は二つの移動局１０６と通信している三つの基地局１０４を含むものが示される。基地局及びその受信区域は集合的にしばしば「セル（cell）」と云われる。ＩＳ−９５システムでは、セルは一以上のセクタを含む。Ｗ−ＣＤＭＡ仕様では基地局及びセクタの受信区域の各セクタはセルと云われる。ここに使用されるように、用語「基地局」は用語「アクセス・ポイント」または「ノードＢ」と互換的に使用される。用語「移動局」は用語「ユーザー設備（ＵＥ）」、加入者（subscriber）ユニット、加入者局、アクセス端末、遠隔端末、または当技術分野において知られている他の対応用語と互換的に使用される。用語「移動局」は固定の無線アプリケーションを包含する。
【００２０】
実施されるＣＤＭＡシステムにより、各移動局１０６はある所定の瞬間において順方向回線上で一つ（或いは、恐らく多数）の基地局１０４と通信を行い、そして移動局がソフト・ハンドオフにあるか否かにより逆方向回線上で一以上の基地局と通信を行う。順方向回線（即ち、下り回線）は基地局から移動局への伝送を云い、逆方向回線（即ち、上り回線）は移動局から基地局への伝送を云う。
【００２１】
明確にするために、この発明を記述する際に使われる例は信号の発生源として基地局を、及びこの信号、即ち順方向回線上の信号の受信器及び取得者として移動局を想定する。基地局同様に移動局もここに述べられるようにデータを送るように装備され、且つ本発明の形態がそれらの状況においても適用されることを当業者は理解するであろう。語「典型的（ exemplary）」は「例（example）、場合（instance）、または実例（illustration）として役立つ」ことを意味することに専らここで使われる。「典型的」としてここに述べられる実施例は他の実施例より好ましい、或いは有利であると必ずしも解釈されるとは限らない。
【００２２】
上で述べたように、無線通信システム１００はＩＳ−９５システムのように通信資源を同時に共有する多数のユーザーに対応し、ＩＳ−８５６システムのように全体の通信資源を１ユーザーに一度に割当て、或いは双方のアクセス形式を可能にするため通信資源を配分するかもしれない。１ｘＥＶ−ＤＶシステムは双方のアクセス形式の間で通信資源を分割するシステムの例で、ユーザー要求に従って動的に配分を割当てる。下記は双方のアクセス形式のシステムにおいて様々なユーザーを収容するために通信資源がいかに割当てられるかに関する簡単な概要である。電力制御は、ＩＳ−９５形式のチャネルのように、多数のユーザーによる同時アクセスについて述べられる。伝送率（rate）決定及びスケジュール（scheduling）は、ＩＳ−８５６または１ｘＥＶ−ＤＶ形式のシステムのデータのみの部分のように、多数のユーザーによる時分割（time-shared）アクセスについて論じられる。「外部ループ」は双方のアクセス形式に関して当技術分野で使われる用語であるが、その意味は二つの文脈において異なることに注目を要す。
【００２３】
ＩＳ−９５ＣＤＭＡシステムのようなシステムにおける容量（capacity）は、システム内の様々なユーザーへの信号或いはユーザーからの信号を伝送する際に発生する干渉（雑音）によって一部決定される。典型的なＣＤＭＡシステムの特徴はその信号が他の移動局によって干渉と見なされるように、移動局への伝送或いは移動局からの伝送の信号を符号化し、且つ変調することである。例えば、順方向回線上で、基地局と一つの移動局との間のチャネルの品質は他のユーザー干渉によって一部決定される。移動局との通信の所望の性能レベルを維持するために、その移動局に費やされる伝送電力は、そのチャネルにおいて蒙る他の干渉と同様に、基地局によって他の移動局に伝送される電力を凌駕するのに十分でなければならない。このように、容量を増大させるために、サービスを受ける各移動局に必要な最小の電力を伝送することが望ましい。
【００２４】
順方向電力制御が議論目的のみのために述べられる。当業者は逆方向回線に関する電力制御技術に直ちに適応するであろう。典型的なＣＤＭＡシステムでは、多数の移動局が基地局に伝送しているとき、正規化電力レベルで基地局において複数の移動局信号を受取ることが望ましい。このように、例えば、逆方向回線電力制御システムはすぐ近くの移動局からの信号がさらに離れた移動局からの信号電力を超えないように各移動局からの伝送電力を調整する。順方向回線と同様に、所望の性能レベルを維持するのに必要な最小の電力レベルに各移動局の電力を保つことは、通話及び待機時間の増加、電池要求の低減、等々といった他の電力節約の便益に加えて、容量の最適化を可能にする。
【００２５】
ＩＳ−９５と同様に、典型的なＣＤＭＡシステムにおける容量は他のユーザー干渉によって 制約される。他のユーザー干渉は電力制御の使用を通して緩和される。容量、音声品質、データ伝送速度及び処理能力を含むシステムの全体の性能は、可能ならいつでも所望の性能レベルを維持するために最低の電力レベルで伝送する局（stations）に依存する。これを達成するために、様々な電力制御技術が当技術分野において知られている。
【００２６】
一分類の技術は閉ループ電力制御を含む。例えば、閉ループ電力制御は順方向回線上で利用される。そのようなシステムは移動局における内部及び外部電力制御ループを用いる。外部ループは受信誤り率に従って目標受信電力レベルを決定する。例えば、１％の目標フレーム誤り率が所望の誤り率として予め決定される。外部ループはフレームまたはブロックごとに一度といった比較的遅い割合で目標受信電力レベルを更新する。これに応じて、受信電力がその目標を満たすまで、内部ループは基地局への上昇または下降電力制御メッセージを基地局へ送信する。これら内部ループ電力制御命令は効率的な通信に必要なレベルに電力を迅速に適応させるために比較的頻繁に発生する。上で述べたように、各移動局に関する伝送電力を最低レベルに保つことは各移動局で見られる他のユーザー干渉を低減し、残りの利用可能な伝送電力を他の目的に保存することを可能にする。ＩＳ−９５のようなシステムでは、残りの利用可能な伝送電力は追加ユーザーとの通信に対応するために使われる。１ｘＥＶ−ＤＶのようなシステムでは、残りの利用可能な伝送電力は追加のユーザーに対応するため、或いはシステムのデータだけの部分の能率を増加するために使われる。下記で述べられるように、今述べられた電力制御のための外部ループまたは内部ループはデータのみのチャネルとの使用に規定された同様にラベル付けされた制御ループとは異なる。
【００２７】
ＩＳ−８５６のような「データのみ」のシステムでは、或いは１ｘＥＶ−ＤＶのようなシステムの「データのみ」の部分では、制御ループは基地局から移動局への伝送を時分割方式で管理するために利用される。明確にするために、次の議論では、一度に一つの移動局への伝送が述べられる。これは同時アクセス・システムとは区別され、 その例はＩＳ−９５か、ｃｄｍａ２０００または１ｘＥＶ−ＤＶにおける様々なチャネルである。二つの注釈はこの点で整っている。
【００２８】
第一に、「データのみ（data-only）」または「データ・チャネル」は議論を明確にするだけのためにＩＳ−９５形式の音声またはデータ・チャネル（即ち、上述のような電力制御を使用する同時アクセス・チャネル）と区別するために使用される。ここに述べられたデータのみの或いはデータ・チャネルは音声（即ち、インターネット・プロトコルにおける音声、またはＶＯＩＰ）を含め、あらゆる形式のデータを伝送するために使用できることは当業者には明白であろう。特定のデータ形式についてあらゆる特定の実施例の有用性は処理能力要求、待ち時間要求、等々によって一部決定される。当業者は所望レベルの待ち時間、処理能力、サービスの品質、等々を提供するために選択されたパラメータといずれかのアクセス形式を組合わせて、直ちに様々な実施例に適応させるであろう。
【００２９】
第二に、通信資源を時分割するとして述べられている１ｘＥＶ−ＤＶについて述べられたような、システムのデータのみの部分は同時に一以上のユーザーへのアクセスを提供するように適応される。この例は下記で詳述される。通信資源がある期間の間に一つの移動局またはユーザーとの通信を提供するために時分割方式として述べられているここにおける例では、当業者はその時間期間内に一以上の移動局またはユーザーへのまたはそこからの時分割伝送を可能にするためにこの例を直ちに適応させるであろう。
【００３０】
典型的なデータ通信システムは様々な形式の一以上のチャネルを含む。特に、一以上のデータ・チャネルが一般的に利用される。帯域内制御信号方式はデータ・チャネル上に含まれるが、一以上の制御チャネルが利用されることもまた一般的である。例えば、１ｘＥＶ−ＤＶシステムでは、パケット・データ制御チャネル（Packet Data Control Channel：ＰＤＣＣＨ）及びパケット・データ・チャネル（Packet Data Channel：ＰＤＣＨ）はそれぞれ順方向回線上の制御及びデータの伝送について定義されている。
【００３１】
図２はデータ通信に適応されるシステム１００において構成される移動局１０６及び基地局１０４の例を図示する。順方向及び逆方向回線上で通信している基地局１０４及び移動局１０６が示される。移動局１０６は受信サブシステム２２０において順方向回線信号を受信する。下で詳述される順方向データ及び制御チャネルを通信する基地局１０４はサービス局（serving station）とここでは呼ばれる。受信サブシステムの例は図３に関してさらに下記で詳述される。キャリア対干渉（carrier-to-interference：Ｃ／Ｉ）推定はサービス基地局から受信された順方向回線信号について行われる。Ｃ／Ｉ測定はチャネル推定として使用されるチャネル品質計量基準の例であり、別のチャネル品質計量基準は別の実施例において利用される。Ｃ／Ｉ測定は送信サブシステム２１０に配信され、その例は図３に関してさらに下記で詳述される。
【００３２】
送信サブシステム２１０はサービス基地局に配信される逆方向回線上でＣ／Ｉ推定値を配信する。ソフト・ハンドオフ状況では、当技術分野では周知のように、移動局から伝送された逆方向回線信号はサービス基地局以外の基地局によって受信されることに注目を要す。その場合には、Ｃ／Ｉ測定は、例えば移動局のソフト・ハンドオフを統合するために使用した代わりの網上でサービス基地局に配信される。明確にするために、この議論では、基地局１０４はサービス基地局であり、且つまた移動局１０６から逆方向回線信号を受信するために選択される。基地局１０４では、受信サブシステム２３０は移動局１０６からＣ／Ｉ情報を受信する。
【００３３】
基地局１０４では、スケジューラ２４０はデータがサービス・セル受信区域内で一以上の移動局に伝送されるべきかどうか、如何に伝送されるかを決定するために使用される。あらゆる形式のスケジュールアルゴリズム（scheduling algorithm）が本発明の範囲内で利用できる。一例は「順方向回線伝送率スケジュールのための方法及び装置（METHOD AND APPARATUS FOR FORWARD LINK RATE SCHEDULING）」と題し、１９９７年２月１１日に出願され、本発明の譲請人に譲渡された米国特許出願第０８／７９８，９５１号に開示されている。
【００３４】
１ｘＥＶ−ＤＶ実施例では、データがある伝送率で伝送されることをその移動局から受信されたＣ／Ｉ測定値が示すとき、移動局は順方向回線伝送のために選択される。システム容量に関しては、共有通信資源がその最大対応可能な伝送率で常に利用されるように、目標移動局を選択することが有利である。このように、選択された典型的な目標移動局は最大通報Ｃ／Ｉをもつそのものである。他の要素もまたスケジュール決定に組込まれる。例えば、最小品質のサービス保証が様々なユーザーに対して行われる。そのユーザーに最小データ転送速度を維持するために移動局は比較的低い通報Ｃ／Ｉによって伝送のために選択される。
【００３５】
１ｘＥＶ−ＤＶシステム例では、スケジューラ２４０は伝送すべき移動局、且つまた伝送率、変調フォーマット、及びその伝送のための電力レベルを決定する。ＩＳ−８５６のような代わりの実施例では、例えば、対応可能な伝送率／変調フォーマットは移動局で測定されたチャネル品質に基づいて行われ、伝送フォーマットがＣ／Ｉ測定の代わりにサービス基地局に伝送される。当業者は本発明の範囲内で利用できる伝送率、変調フォーマット、電力レベル、等々の無数の組合せを認識するであろう。さらに、ここに述べられる様々な実施例ではスケジュールタスクは基地局で行われるが、代替実施例では、いくつかのまたは全てのスケジュール処理は移動局において行われる。
【００３６】
スケジューラ２４０は選択された伝送率、変調フォーマット、電力レベル、等々を使用して順方向回線上の選択された移動局に伝送するように伝送サブシステム２５０に指示する。
【００３７】
その例の実施例では、制御チャネルまたはＰＤＣＣＨ上のメッセージはデータ・チャネル、またはＰＤＣＨ上のデータと共に伝送される。制御チャネルは通信セッションの間に有用な他の通信パラメータを特定するのと同様にＰＤＣＨ上のデータの受信移動局を特定するために使用される。その移動局が伝送の目標であることをＰＤＣＣＨが示すとき、移動局はＰＤＣＨからのデータを受信し、且つ復調しなければならない。伝送の成功または失敗を示すメッセージを持つそのようなデータの受信後、移動局は逆方向回線上で応答する。その具体化例では、データのパケットが正しく受信されるとき、肯定応答（Acknowledged：ＡＣＫ）メッセージが送られ、誤り（error）が検出されるとき、否定応答（Not Acknowledged：ＮＡＫ）メッセージが送られる。
【００３８】
再伝送技術は一般にデータ通信システムにおいて利用される。そのようなシステムでは、一部のデータが旨く受信されなかったことをＮＡＫメッセージが示したとき、そのデータの一部は再伝送される。再伝送方式は様々な信号層で行われる。その具体化例では、再伝送処理はその物理層の中で行われる。
【００３９】
物理層再伝送処理の例は１ｘＥＶ−ＤＶ規格で与えられている。データは複数のパケットに分割される。その具体化例では、１つのパケットは最高４回まで伝送される。各試行伝送のパケットはここではサブパケットと呼ばれる。サブパケットはＰＤＣＨ上で目標移動局に送られ、その特定はＰＤＣＣＨ上で示される。サブパケットが正しく受信されれば（一以上の様々な符号化及び復号化技術を通して決定され、その例は当技術分野で周知である）、ＡＣＫメッセージがそれに応じて基地局に送られる。サブパケットが正しく受信されなければ、ＮＡＫメッセージがそれに応じて送られる。再伝送の所定の限界に達するまで（この例では、３回）、基地局はパケット、即ち新しいサブパケットを再伝送する。サブパケットのうちのいずれかが正しく受信されればパケット通信は成功で、全てのサブパケットがＡＣＫを受取らずに伝送されたならばパケット誤りの発生である。
【００４０】
各サブパケット伝送はパケットに含まれる情報を送る。サブパケットについて移動局によって受信されたエネルギーは以前に伝送された一以上のサブパケットについて受信されたエネルギーと結合される。例えば、第一のサブパケットが誤って受信されれば、第二のサブパケット（再伝送）で受信されたエネルギーは復号成功の尤度を大きくするために第一のサブパケットのエネルギーと結合される。このように、伝送パラメータのうちのどれも変更せずに、正しくサブパケットを受信する確率は前のサブパケットを受信する確率に関して増加するであろう。
【００４１】
さらに、冗長度がサブパケット伝送に組込まれる。各々のサブパケット伝送に含まれる冗長度は一つのサブパケット伝送から次のサブパケット伝送まで同じである必要はない。例えば、全体で４サブパケット伝送が一つのパケットについて許される実施例を考察する。そのパケットはＡ、Ｂ、Ｃ、及びＤにラベル付けされた四つのセグメントに分割される。各サブパケットはパケットの内容に加えて、一つのセグメントの冗長伝送を含む。第一サブパケットは系列Ａ、Ｂ、Ｃ、Ｄ、Ｄを含む。第二サブパケットは、必要とされれば、系列Ａ、Ｂ、Ｃ、Ｃ、Ｄを含む。第三サブパケットは、必要とされれば、系列Ａ、Ｂ、Ｂ、Ｃ、Ｄを含む。第四サブパケットは、必要とされれば、系列Ａ、Ａ、Ｂ、Ｃ、Ｄを含む。この例では、全ての四つのパケット伝送が要求されれば、各パケット・セグメントは５回伝送されたことになり、そのエネルギーはその全てについて累積される。代替実施例では、符号化技術はパケット内の全ての情報に基づく冗長な情報、例えば、ブロック符号を使用して生成される付加パリティ・ビットを含む。冗長な情報、例えば、パリティ情報はサブパケットに亘って同じか、或いは一以上のサブパケットに亘って異なってもよいことを当業者は認識するであろう。あらゆる考えられるパケット符号化及び伝送技術は本発明の範囲内で利用できる。
【００４２】
パケットの伝達は所望の動作特性を産み出すために選択されたパラメータを用いて行われる。例えば、全体のパケット誤り率が所望される。或いは、さらに下記で述べられるように、第一のサブパケット誤り率を適合させることが望ましい。外部制御ループは、データ・システムについて上で述べられたように、一以上の性能測定をそれらの所望の目標に追い込むために使用される。誤り率のような様々な性能測定がそのようなシステムを使って生成され、その全てが本発明の範囲内にあることを当業者は認識するであろう。様々なパケット及び／またはサブパケットの誤り率を目標にする制御ループの様々な実施例はさらに下記で詳述される。
【００４３】
図３は移動局１０６または基地局１０４といった無線通信デバイスのブロック図である。この具体化例に図示されたブロックは一般に基地局１０４か移動局１０６のいずれかに含まれる要素の一部である。当業者は図３で示された実施例をいくつかの基地局または移動局の構成に直ちに適応させるであろう。
【００４４】
信号はアンテナ３１０で受信され、受信器３２０に配信される。受信器３２０は上で列記された規格のような一以上の無線システム規格に従って処理を行う。受信器３２０は無線周波（Radio Frequency：ＲＦ）のベースバンド変換、増幅、Ａ／Ｄ変換、フィルタリング、等々といった様々な処理を行う。受信のための様々な技術は当技術分野で知られている。個別のチャネル品質推定器３３５は議論を明確にするため下記に示されるが、デバイスが移動局または基地局であるとき、受信器３２０は順方向或いは逆方向回線のチャネル品質を測定するためにそれぞれ使用される。
【００４５】
受信器３２０からの信号は一以上の通信規格に基づいて復調器３２５で復調される。具体化例では、１ｘＥＶ−ＤＶ信号を復調することが可能な復調器が使用される。代替実施例では、代替規格が対応し、実施例は多数の通信フォーマットに対応する。復調器３３０はＲＡＫＥ受信、等化、結合、逆インタリーブ、復号化、及び受信信号のフォーマットによって必要とされるその他の様々な機能を実行する。様々な復調技術が当技術分野において知られている。基地局１０４では、復調器３２５は逆方向回線に従って復調するであろう。移動局１０６では、復調器３２５は順方向回線に従って復調するであろう。ここに述べられたデータ及び制御チャネル双方は受信器３２０及び復調器３２５において受信され、且つ復調されるチャネルの例である。上述のように、順方向データ・チャネルの復調は制御チャネル上の信号方式に従って発生するであろう。
【００４６】
メッセージ復号器３３０は復調されたデータを受取り、順方向或いは逆方向回線上でそれぞれ移動局１０６及び基地局１０４に向けられた信号またはメッセージを取出す。メッセージ復号器３３０はシステムへの呼出（音声或いはデータ・セッションを含む）を設定し、維持し且つ取り壊す際に使われる様々なメッセージを復号する。メッセージは、Ｃ／Ｉ測定、ＡＣＫ／ＮＡＫメッセージ、或いは順方向データ・チャネルを復調するために使われる制御チャネル・メッセージといったチャネル品質指示を含む。他の様々なメッセージ形式は当技術分野において知られており、対応する様々な通信規格において指定される。そのメッセージは次の処理で使用のためにプロセッサ３５０に渡される。個別ブロックは議論を明確にするために示されているが、メッセージ復号器３３０のいくつかのまたは全ての機能はプロセッサ３５０において実行される。代りに、復調器３２５は或る情報を復号し、それを直接プロセッサ３５０に送る（ＡＣＫ／ＮＡＫのような単一ビット・メッセージまたは電力上昇／下降制御命令はその例である）。
【００４７】
チャネル品質推定器３３５は受信器３２０に接続され、復調のような通信に使われる他の様々な処理における使用と同様に、ここに述べられた手順で使用するため様々な電力レベル推定を行うために使用される。移動局１０６では、Ｃ／Ｉ測定が行われる。基地局１０４または移動局１０６では、受信パイロット電力のような信号強度推定が行われる。チャネル品質推定器３３５は議論を明確にするだけのために個別ブロックとして示される。そのようなブロックが受信器３２０または復調器３２５といった別のブロック中に組込まれることは一般的である。様々な形式の信号強度推定はどの信号もしくはどのシステム形式が推定されるかによって行われる。一般に、あらゆる形式のチャネル品質計量基準推定ブロックが本発明の範囲内でチャネル品質推定器３３５の代わりに利用される。基地局１０４では、さらに下記で述べられるように、チャネル品質推定はスケジュール、ＡＣＫ／ＮＡＫメッセージの信頼性の判定、或いはＣ／Ｉメッセージの信頼性の判定に使用するためプロセッサ３５０に渡される。信号強度推定の例は全体の雑音密度に対するチップごとのエネルギー（Ｅｃ／Ｎｔ）測定であり、その使用は下の様々な例で述べられる。
【００４８】
信号はアンテナ３１０を経由して伝送される。伝送された信号は上で列記された規格のような一以上の無線システム規格に従って送信器３７０においてフォーマットされる。送信器３７０に含まれる要素の例は増幅器、フィルタ、ディジタル対アナログ（Ｄ／Ａ）変換器、無線周波数（ＲＦ）変換器、等々である。伝送のためのデータは変調器３６５によって送信器３７５に提供される。データ及び制御チャネルは様々なフォーマットに従って伝送のためにフォーマットされる。順方向回線データ・チャネル上の伝送のためのデータはＣ／Ｉもしくは他のチャネル品質測定に従ってスケジュールアルゴリズムによって示される伝送率及び変調フォーマットに基づいて変調器３６５においてフォーマットされる。スケジューラは上述のスケジューラ２４０のようにプロセッサ３５０中に在駐する。同様に、送信器３７０はスケジュールアルゴリズムに従う電力レベルで伝送するように指示される。変調器３６５に組込まれる要素の例は符号器、インタリーブ器、拡散器、及び様々な形式の変調器を含む。
【００４９】
メッセージ生成器３６０は、ここに述べられるように、様々な形式のメッセージを用意するために使用される。例えば、Ｃ／Ｉメッセージは逆方向回線上の伝送のために移動局で生成される。様々な形式の制御メッセージは順方向または逆方向回線上の伝送のためにそれぞれ基地局１０４或いは移動局１０６のいずれかにおいて生成される。
【００５０】
復調器３２５において受信され、且つ復調されたデータは様々な他の要素と同様に音声またはデータ通信における使用のためにプロセッサ３５０に渡される。同様に、伝送のためのデータはプロセッサ３５０から変調器３６５及び送信器３７０に向けられる。例えば、様々なデータ・アプリケーションは無線通信デバイス１０４または１０６に含まれるプロセッサ３５０上、もしくは別のプロセッサ（示されない）上に存在する。基地局１０４は、図示されていない他の装置によって、インターネットのような一以上の外部網（示されない）に接続される。移動局１０６はラップトップ・コンピュータのような外部デバイス（示されない）への回線を含む。
【００５１】
プロセッサ３５０は一般用途マイクロプロセッサ、ディジタル信号プロセッサ（ＤＳＰ）、または専用プロセッサである。プロセッサ３５０は、無線通信デバイスによって必要とされるあらゆる他の処理と同様に、受信器３２０、復調器３２５、メッセージ復号器３３０、チャネル品質推定器３３５、メッセージ生成器３６５、或いは送信器３７０のいくつかの、或いは全ての機能を実行する。プロセッサ３５０はこれらのタスク（詳細は示されない）において支援するための専用ハードウェアと接続されている。データまたは音声アプリケーションは、外部に接続されたラップトップ・コンピュータまたは網への接続のように、外部的であり、無線通信デバイス１０４または１０６内の別のプロセッサ（示されない）上で動くか、またはプロセッサ３５０自体の上で動く。プロセッサ３５０はメモリ３５５と接続され、それはここに示された様々な手順及び方法を実行するための命令（instructions）と同様にデータを記憶するために使用される。メモリ３５５は様々な形式のメモリ要素からなり、それはプロセッサ３５０中に全部或いは一部として埋込まれていることを当業者は認識するであろう。
【００５２】
ここに述べられる制御ループの様々な実施例は移動局から基地局へのフィードバックに依存する。例えば、チャネル品質指標（例えば、ＨＤＲ型システムにおけるＣ／Ｉ測定或いは伝送率要求）、ＡＣＫメッセージ、及びＮＡＫメッセージは順方向回線上の制御及びデータ・チャネルの伝送に応じて基地局で受信される。チャネル条件が変化することにより、このフィードバックの信頼性に影響を及ぼす様々な問題が発生する。これらの四つの問題はそれらの影響を緩和する解の例と共に下記で取組まれる。
【００５３】
第一の問題は逆方向回線上で伝送されたＣ／Ｉ測定値が基地局で不正確に復号されることである。比較的粗末なチャネル環境では、低Ｃ／Ｉ指標が高Ｃ／Ｉ値として不正確に復号される。この場合には、基地局は実際のチャネル条件に対して法外に高い伝送率で順方向回線データ伝送をスケジュールする。その結果、移動局は再伝送を含む順方向回線伝送を受信する可能性はないであろうし、従ってシステム性能は減少するであろう。実施例では、完全なＣ／Ｉ測定値（即ち、多ビット値）はより効率的な上昇及び下降命令（即ち、１ビット伝送）を用いる間に行われる増分命令によって単に定期的に送られるだけである。この例では、上昇または下降命令は復号誤りを迅速に調整しないので、その問題は複雑である。
【００５４】
この第一の問題に対する解は移動局によって通報されたＣ／Ｉの異常な跳上がり（jumps）を滑らかにするためにフィルタを利用することである。例えば、跳上がり限界は前のＣ／Ｉ推定値及び新しいＣ／Ｉ推定値の間で課せられる。完全なＣ／Ｉが更新する期間の間に上昇／下降命令を使用する実施例では、跳上がり限界は最後の上昇／下降命令において計算された値と新しく受信された完全なＣ／Ｉ値との間で課せられる。一例の跳上がり限界は３ｄＢである。別の例の跳上がり限界はＣ／Ｉ推定値の標準偏差の関数である。
【００５５】
Ｃ／Ｉ測定値の更新における跳上がり限界に加えて、もしくは代りに、追加フィルタリングがチャネルの特性に応じて利用される。スケジュールされる順方向回線伝送はチャネルの過去の測定に基づいて行われるので、その測定値は幾分古くさいことになる。遅いフェージング環境では、チャネル品質における比較的低い変化率のためにそれらが到着するとき移動局はＣ／Ｉ測定値を追跡することが望ましく、従って過去の推定値に頼ることはさらに適切であるかもしれない。速いフェージング・チャネルでは、急速、且つおそらく非常に変動する変化がＣ／Ｉ測定値において通報される。過去の測定値に頼ることはチャネルの現在の状態について正確ではない。この環境では、Ｃ／Ｉ測定値をフィルタにかけることが望ましい。これは、一時的な高Ｃ／Ｉ値に応じて高転送率を持続不可能に避けることによってより効率的に共有資源を利用するために使用される。通信システムにおけるフェージングの割合を決定する様々な技術は当技術分野で知られており、あらゆる技術は本発明の範囲内で利用される。
【００５６】
図４はＣ／Ｉフィルタ方法の具体化例のフローチャートを図示する。その処理はＣ／Ｉ測定値が受信されるステップ４１０で開始する。この方法は連続的に更新された完全なＣ／Ｉ測定値によって行われるか、または増分更新によって定期的に通報される完全な測定値によって行われる。判定ブロック４２０に進む。
【００５７】
判定ブロック４２０において、チャネルが遅いフェージング・チャネルであれば、ステップ４５０に進む。ステップ４５０では、スケジュール処理はＣ／Ｉ測定値に応じて特定の移動局に、伝送率、及び変調フォーマットを伝送するかどうか決定する。上述のように、Ｃ／Ｉ測定値はこの決定の前に制限された跳上がり（jump）があるかもしれない。その後、その処理は停止する。
【００５８】
判定ブロック４２０において、チャネルが速いフェージング・チャネルであればステップ４３０に進み、新しいＣ／Ｉ値によってフィルタを更新する。様々なフィルタ技術が当技術分野では周知である。さらに、いくつかのフィルタを含むフィルタ・バンクが利用される。曲線適合は適切なＣ／Ｉ値を決定するために複数のフィルタによって使用される。ステップ４４０に進み、フィルタにかけられたＣ／Ｉ値に応じて伝送率及び変調フォーマットを決定する。上述のように、これはスケジューラにおいて発生する。跳上がり限界はフィルタにかけられたＣ／Ｉ値（フィルタリングの別の形）に利用される。その後、その処理は停止する。
【００５９】
第二の問題はＡＣＫ／ＮＡＫチャネルが信頼できないという可能性から生じる。信頼性の欠如の一つの理由は移動局で実施された電力上限（power cap）である。一般に、目標のＥｃ／Ｎｔは所望のレベル（例えば、１％）にＡＣＫ／ＮＡＫ検出誤り率を保持する。逆方向回線電力が制限されると、その目標が電力上限によって容認されたそれより大きければこの誤り率は急速に上昇する。基地局が逆方向回線上で送られた対応するＮＡＫがＡＣＫとして誤って復号されるとき移動局は不正確に受信されたフレームを再伝送しないだろうから、欠落フレーム誤り率はＡＣＫ誤り率に比例して上昇するであろう。一方、誤って復号されたＮＡＫは基地局が既に正しく受信されたパケットを再伝送することになると、通信資源は効率的に利用されない。
【００６０】
図５はＡＣＫ／ＮＡＫメッセージの信頼性を増大させるための具体化例のフローチャートを図示する。処理はステップ５１０で開始し、そこでＡＣＫまたはＮＡＫが受信される。判定ブロック５２０に進む。ＮＡＫが受信されれば、ステップ５４０に進み、ＮＡＫを処理する。ＮＡＫが不正確に受信されていたとしても、この誤りの結果は不必要な再伝送であり、移動局におけるフレーム誤り率は悪影響を受けないであろう。その後、処理は停止する。
【００６１】
判定ブロック５２０において、ＡＣＫが受信されれば、判定ブロック５３０に進む。判定ブロック５３０において、移動局からの測定されたパイロットは閾値と比較される。例えば、この測定は基地局に組込まれたチャネル品質推定器３３５において行われる。パイロットが閾値を超えていれば、ＡＣＫは信頼できると見なされ、処理はステップ５５０に流れ、そこでＡＣＫが処理される。その後、処理は停止する。閾値が測定されたパイロット電力によって満たされなければ、ＡＣＫは信頼できないと見なされる。上述のように、ＮＡＫを処理するためにステップ５４０に進む。その後、処理は停止する。このように、逆方向回線チャネルの品質はＡＣＫメッセージの信頼性を決定するために使用される。例えば、電力の限られた逆方向回線におけるＡＣＫ誤り率の増加は移動局におけるフレーム誤り率の比例的増加にはならないであろう。
【００６２】
第三の問題はまた逆方向回線品質と関係がある。逆方向回線電力が制限されるとき、Ｃ／Ｉフィードバック（或いは、ＨＤＲ型システムにおける伝送率要求）は信頼できない。逆方向回線のパイロット電力が所定の閾値を超えないとき、図５で図示されたそのような方法はＣ／Ｉ測定値を排斥するように適応される。このように、必要不可欠な逆方向電力が不十分であることのない移動局は（即ち、受信パイロット電力において測定されるときに）、順方向回線伝送の予定はないであろう。詳細は図５には示されない。当業者はここでの教示を考慮してそのような手法を直ちに利用するであろう。
【００６３】
第四の問題は実際に三つのＡＣＫ／ＮＡＫ状態があり、ここで第三の状態はＮＵＬＬ応答であるという認識から生じる。順方向回線制御チャネルは順方向回線データ・チャネルによって目標にされた移動局を特定するために使用される。移動局が正しく制御チャネルを復号しなければ、それはその向けられたデータ伝送を含むデータ・チャネルを復号しようと試みないであろう。従って、それはＡＣＫまたはＮＡＫメッセージのいずれにも応答しないであろう。制御ループが制御チャネル上で利用されるとき、例えば、制御チャネルが正しく受信されたかどうかを基地局は確実に決定する必要がある。ＰＤＣＣＨ伝送を制御するための外部ループ例は図８に関して下記で述べられる。具体化例では、１個のビットがＡＣＫ／ＮＡＫについて送信され、ＮＡＫについては正値が伝送され、ＡＣＫについては負値が伝送される。図６は二つの状況例について受信エネルギーにおける分離を例示する。第一の例では、エネルギーＡはＮＡＫを伝送するために使用され、−ＡはＡＣＫを指示する。この例では、Ａ及び−Ａの分離はＮＵＬＬ伝送を特定するには十分ではなく、ここではいずれの値も伝送されなかった。第二の例はＮＡＫについて伝送されたエネルギーＢ及びＡＣＫについて伝送された−Ｂを示す。その分離が十分な信頼性をもってＮＵＬＬを特定するのに十分に大きいことが理解されるであろう。
【００６４】
問題四への解はＡＣＫ及びＮＡＫ状態と同様にＮＵＬＬ状態を特定するために十分な電力によってＡＣＫ／ＮＡＫビットを伝送することである。ＡＣＫ／ＮＡＫメッセージに配分された電力に限界があれば、そのメッセージは繰返される。基地局はＡＣＫ／ＮＡＫ／ＮＵＬＬの決定を行うために繰返された伝送を結合する。例えば、１ｘＥＶ−ＤＶシステムでは、ＡＣＫ、ＮＡＫ、及びＮＵＬＬを検出するために必要なＥｃ／ＮｔはＡＣＫ及びＮＡＫのみを検出する必要なそれより１０ｄＢだけ高ければ、トラヒック電力対パイロット電力比（Ｔ／Ｐ）は−３ｄＢから０ｄＢに増加し、ＡＣＫ／ＮＡＫビットは最高４回繰返される。
【００６５】
上述のように、伝送率及びフォーマットはＣ／Ｉのような受信されたチャネル品質測定に応じて決定される。利用可能な伝送電力は時間スロットの間に一以上の移動局に配分される。一つの実施例では、ＰＤＣＨは一度に１ユーザーに配分される。代替実施例では、伝送電力は一以上の移動局に亘って分割される。マージンを使用するとき、伝送率及び変調フォーマットは利用可能な伝送電力及び調整された品質計量基準（即ち、受信Ｃ／Ｉ−マージン）に応じて決定される。マージンは所望の性能レベルを造出するために動的に更新され、異なるマージン特性は異なる通信環境において適切である。例えば、遅いフェージング環境では、チャネル推定が全てのフレームに有効な状態を維持する可能性があるので、より厳しいマージンが使用される。速いフェージング環境では、より大きなマージンがさらに急速に変化するチャネルの影響を相殺するのに必要とされる。
【００６６】
図７は外部制御ループの具体化例のフローチャートを図示する。制御ループは移動局からのフィードバックに応じてマージン値ｍを動的に更新するために使用される。処理はいくつかの変数の使用を通してパラメータ化される。変数ｓ１は目標の第一のサブパケット誤り率である。変数ｓ２は目標のパケット誤り率である。変数ａ及びｂはそれぞれ上限及び下限であり、第一のサブパケットに関連するマージンｍにおける瞬間的な変化を制限する窓を提供するために使用される。変数ｘは第一のサブパケット・フィードバックに基づいてｍの増加及び減少の量を一定基準に定める（scaling）ための因数である。変数ｙは次のサブパケット・フィードバックに基づいてｍの増加及び減少の量を一定基準に定めるための因数である。変数ｃ及びｄはそれぞれ上限及び下限であり、次のサブパケットに関するマージンｍにおける瞬間的な変化を制限する窓を提供するために使用される。
【００６７】
二つの目標誤り率の使用は一つの誤り率と比較して制御ループの感度を増加するために使用される。例えば、‘９０６出願に記載されたような制御ループは全体のパケット誤りに応じて更新される。一般的なデータ通信システムは非常に低いパケット誤り率を持つように設計され、上述のように、多数のサブパケットを使用する再伝送プロトコルによって恐らく達成される。パケット誤りの発生は比較的稀であるので、そのループは非常にゆっくりとマージンを増加させる。ある状況では、所望の全体パケット誤り率が達成されるとしても再伝送の数は必要以上に大きく、従ってそのチャネルは最適に使用されない。ゆっくりと適応するループはこの状況が所望以上に長く存在することを可能にする。
【００６８】
全体パケット誤り率に加えて第一のサブパケット誤り率はループがチャネル環境の変化に迅速に適応することを可能にする。再伝送の低減は処理能力が最大限にされることを可能にする。例えば、遅いフェージング環境から中間のフェージング環境では、 １０−４の最終パケット誤り率が設定され、それはパケット誤りの比較的稀な発生に帰着する。そのような環境では、再伝送は非常に低い第一のサブパケット誤り率をまた提供するマージン値の使用によって低減され、このように処理能力を増加させる。速いフェージング環境では、第一のサブパケット誤り率を非常に低く保持しようと試みることはデータ伝送率を下げる非常に控えめなマージン値を必要とする。第一のサブパケット誤り率を緩和することによって、より高いデータ伝送率でサブパケットの追加再伝送を許容することは速いフェージング環境における処理能力を実際に増加させる。
【００６９】
図７の例では、一つのループは一つのマージン値を維持するために使用される。このマージン値は、データ・チャネル（即ち、ＰＤＣＨ）上の伝送の電力、伝送率、及び変調フォーマットと同様に、制御チャネル（即ち、ＰＤＣＣＨ）上の伝送のための電力を決定する際に使用される。制御チャネルとデータ・チャネルについてｍの使用を区別するためにオフセットが導入される。例えば、オフセットは制御チャネル電力レベルを決定する際に使用のためにｍに加えられ、一方、修正されなかったｍはデータ・チャネルをスケジュールする際に使用される。そのオフセットはチャネル条件の変化に応じて固定されるか、或いは動的に更新される。あらゆる数の制御ループが多数のマージン値を維持するために利用されることを当業者は認識するであろう。多数のマージン値は一つのチャネル上の様々なフォーマットの独立制御と同様に、一以上のチャネルを制御するために使用される。これらのいくつかの様々な代替実施例の例は下記で詳述される。
【００７０】
処理はステップ７０５において始まり、ここではｍが初期化される。あらゆる初期化手順は本発明の範囲内でｍの初期値を決定するために使用される。例えば、初期化値は所定の値に設定されるか、もしくはつい最近のＣ／Ｉ値、または逆方向回線電力の測定によって与えられるような現在のチャネル条件に応じて計算される。ステップ７１０に進む。
【００７１】
ステップ７１０では、第一のサブパケットはデータ・チャネル上で伝送され、対応する適切な制御情報が制御チャネル上で伝送される。データ・チャネルに関する伝送率、電力、及びフォーマットは、他の要素の中で m の現在の値に応じて、例えば、スケジューラにおいて決定される。他の要素はＣ／Ｉ測定、基地局によってサービスされる様々な移動局のサービス・レベル要求、及び当技術分野おいて知られている他の要素を含む。判定ブロック７１５に進む。
【００７２】
判定ブロック７１５では、移動局からの応答は伝送された第一のサブパケットに対応して受信される。その具体化例では、応答はＡＣＫまたはＮＡＫである。上で論じられたように、移動局の制御チャネルの誤った受信により、ＡＣＫとＮＡＫのいずれも実際に伝送されないとき、ＮＵＬＬ状態が発生する。移動局からのフィードバックが伝送において誤り（この例では、制御またはデータ・チャネルのいずれかに関する誤りによる）を示せば、第一のサブパケット誤りが発生していた。ステップ７３０に進む。誤りが発生していなかったならば、パケット通信は成功と見なされる。ステップ７２０に進む。
【００７３】
ステップ７２０では、 第一のサブパケットは成功であって、従ってマージンｍは低減されるであろう。第一のサブパケット誤り率を目標の第一のサブパケット誤り率ｓ１に追込むために、ｍは因数ｘで乗算した比率ｓ１／（１−ｓ１）だけ低減される。ステップ７２５に進む。ステップ７３０では、第一のサブパケット誤りが発生していた。制御ループは因数ｘだけｍを増加させる。このように、誤りが発生するとき制御ループは因数ｘだけ増加させることによって第一のサブパケットを追込み、それは次の第一のサブパケット伝送が成功し、そして目標の誤り率を含む因数によって成功した次の第一のサブパケット伝送についてマージンを下げるように一般的に設計される。ステップ７３５に進む。
【００７４】
ステップ７２５またはステップ７３５の何れかにおいて、ｍの変化はａとｂによって制約される現在の値を囲む窓（window）に制限される。これらの窓作成（windowing）ステップは任意である。ステップ７２５から、パケット伝送成功の後、追加パケットが移動局に送られるべきかどうかを判定するために判定ブロック７７０に進む。ステップ７３５から、第一のサブパケット伝送の試みの不成功の後、ステップ７４０に進む。
【００７５】
ステップ７４０では、ステップ７１０に述べられたのと同様の方式で、次のサブパケットを伝送する。そして、判定ブロック７４５に進み、ここで判定ブロック７１５と同様に移動局からのフィードバックはサブパケット伝送が成功したかどうかを示す。誤りが発生すれば、追加再伝送、即ち、さらに多くのサブパケットが送られるかどうかを判定するために判定ブロック７５０に進む。上述のように、あらゆる数の再伝送が容認される。再伝送の限界が満たされなかったならば、次のサブパケットを伝送るためにステップ７４０に戻る。限界が満たされたならば、ステップ７５５に進む。
【００７６】
判定ブロック７４５において、誤りが通報されなかったならば、そのパケットは旨く伝送された。上で、ステップ７１５〜７３５について述べられた第一のサブパケットの制御と同様の方式で、ステップ７５５〜７６５はパケット誤り率を目標の誤り率ｓ２へ追込むために使用される。ステップ７６０では、因数ｙを乗算した比率ｓ２／（１−ｓ２）だけｍを低減させる。ステップ７５５では、再伝送試行の数は伝送成功なしで終了してしまって、従ってパケット誤りが発生した。因数ｙだけｍを増加させる。ステップ７５５またはステップ７６０のいずれからも、ステップ７６５に進む。
【００７７】
ステップ７６５では、ｍに対する調整がｃ及びｄによって制限されるｍの現在の値を囲む窓に制限される。この窓作成は任意である。判定ブロック７７０に進む。
【００７８】
判定ブロック７７０では、前のパケットは一以上のサブパケットを使用して伝送されてきて、成功したか、もしくは誤りに終わった。送信すべき追加パケットがあれば、今述べられたステップを繰返すためにステップ７１０に進む。そうでなければ、処理は停止する。移動局と関連するマージン・ループを維持する必要があるかぎり、処理は無期限に巡回する。
【００７９】
制御チャネルがデータ・チャネル、即ち、ＰＤＣＣＨと共に伝送されるシステムでは、データ・チャネルと同様に制御チャネルが確実に受信されることが重要である。一つの解は予想される最悪事態の状況を満たすために計算された一定の電力レベルで制御チャネルを伝送することである。利用可能な伝送電力の一部は非最悪事態の環境において十分利用されないであろうから、この解は最適ではない。図７に関して上で述べた制御ループは制御及びデータ・チャネル双方に使用するためのマージン値を生成するために使用される。オフセット値は所望の伝送電力レベルの制御チャネルを生成するためにマージンに加算、或いはマージンから減算され、それはパケット・データ伝送に応じてマージンの更新を追跡するであろう。しかしながら、各チャネルに一つ、 二つのマージン値を制御するために二つのループを使うことが望ましい。この例では、図７に示されたような処理によって制御されたマージンｍはデータ・チャネル上でスケジュールのために使用される。個々の制御ループは第二のマージンｍ２を更新するために並行して実行される。
【００８０】
図８は制御チャネル外部制御ループの具体化例のフローチャートを図示する。制御ループは移動局からのフィードバックに応じてマージン値ｍ２を動的に更新するために使用される。その処理はいくつかの変数の使用を通してパラメータ化される。変数ｓ３は目標の制御チャネル誤り率である。変数ｅ及びｆはそれぞれマージンｍ２の瞬間的な変化を制限するための窓を提供するために使用される下限及び上限である。変数ｖは移動局フィードバックに基づいてｍ２の増加または減少の量を一定基準に定めるための因数である。マージンｍ２は制御チャネルを伝送するための適切な電力レベルを決定するために使用される。
【００８１】
処理はステップ８１０で開始し、ここではマージンｍ２が初期化される。あらゆる初期化手順は本発明の範囲内でｍ２の初期値を決定するために使用される。例えば、初期化値は所定の値に設定されるか、もしくはつい最近のＣ／Ｉ値、または逆方向回線電力の測定値によって与えられるような現在のチャネル条件に応じて計算される。ステップ８２０に進む。
【００８２】
ステップ８２０では、制御チャネル（この例ではＰＤＣＣＨ）が伝送される。移動局からのフィードバックを使用して、誤りが制御チャネル上で発生したかどうかを判定するために判定ブロック８３０に進む。上で論じられたように、移動局が正しく制御チャネルを受信しなければ、データが移動局に向けられるとき、それはデータ・チャネルを復調しない。そのような場合には、ＡＣＫとＮＡＫのいずれも応答において生成されないであろう。ＮＵＬＬ状態の特定は制御チャネル上の誤りを意味することに使用される。誤りが特定されれば、ステップ８５０に進む。誤りが示されなければ、ステップ８４０に進む。
【００８３】
ステップ８４０及び８５０は制御チャネル誤り率を所望の目標ｓ３へ追込むために使用される。ステップ８４０において、誤りが発生しなかったとき、因数ｖを乗算した比率ｓ３／（１−ｓ３） だけｍ２を減少させる。ステップ８５０において、誤りが発生したとき、因数ｖだけｍ２を増加させる。ステップ８４０と８５０のいずれからでも、ステップ８６０に進む。ステップ８６０では、ｍ２に対する調整はｅ及びｆによって制約されるｍ２の現在の値を囲む窓に制限される。この窓作成は任意である。判定ブロック８７０に進む。
【００８４】
ステップ８７０において、追加制御チャネル情報が、この例では、ＰＤＣＣＨ上で送信されるべきであれば、制御ループを続けるためにステップ８２０に進む。そうでなければ、処理は停止する。
【００８５】
上で述べたように、利用される外部制御ループの数は、図７のように一つ、或いは図７〜８に図示されたループの組合せに関して上で述べたように二つに制限されない。あらゆる数の制御ループがあらゆる数のマージン値を制御するために利用される。例えば、多数のデータ伝送フォーマットは順方向チャネル上の伝送に対応する。異なる伝送フォーマットは同じチャネル品質について異なるマージン要求を必要とする。一以上のマージンは様々なフォーマットまたはフォーマット群によって使用するために利用される。あらゆる数のチャネル、チャネル形式、及びチャネル内の対応フォーマットに関するマージンの制御を行うためにここに開示された原理を直ちに当業者は適応するであろう。
【００８６】
図７に図示された外部制御ループ例のような、制御ループについて選択されたパラメータの構成に応じて、定常状態のパケット誤り率は、例えば目標誤り率ｓ２以下の値に追込まれる。誤り率があまりにも高ければ、ループはそれを下方に追込むであろう。しかしながら、誤り率があまりにも低ければ、最終パケット誤りの発生は稀であるから増加させるためには比較的長い期間を要する。システムの処理能力がそのようなシナリオにおいて必要とされる再伝送の低減によって改善されれば、これは望ましいことである。パケット誤り率はｓ２で与えられる所望の全体パケット誤り率に近づくが、非常に低いパケット誤り率に関して、上で論じられたように、そのような収束にはしばらく時間がかかる。他の状況では、特に所望の全体パケット誤り率まで追跡し、なお上の実施例に関して述べたようなチャネル状態の変化に反応する外部制御ループを利用することが望ましい。
【００８７】
そのような制御ループの具体化例はここでは外部−外部（outer-outer）制御ループと呼ばれる。図９は外部−外部（outer-outer）制御ループの具体化例のフローチャートを図示する。この実施例では、外部ループは第一のサブパケット誤り率を誤り率ｓ１に追い込むために使用される。このループは図７に図示された実施例の第一の部分に似ている。しかしながら、直接制御されたｓ１をもつのではなく、図７の実施例は図９に示されたように所望のパケット誤り率に達するようにｓ１を更新する外部−外部制御ループを含むように変更されている。この例では、パラメータｋ及びｊは所望の全体パケット誤り率を生成するように設定され、従って外部−外部制御ループは第一のサブパケット誤り率を制御する。従って、第一のサブパケット誤りはループのマージン制御部分を追込むので、図７に示された実施例に関する場合と同様に、外部−外部制御ループはチャネル状態の変化になお応答する。この実施例では、しかしながら、全体の誤り率は所望の誤り率へ追込まれるであろう。
【００８８】
図７と変わらないステップは同等の参照番号によって同定される。外部−外部制御ループは、示されたように、外部ループの外部制御、即ち外部−外部制御を提供するために含まれる。一つのマージンｍはこの制御ループによって制御される。上で述べたように、ｍは制御及びデータ・チャネルのような一以上のチャネルを制御するために使用される。代りに、図８に関して述べたように、追加制御ループが並行して提供される。あらゆる数のループは図９について述べる外部−外部制御ループと同様に、図７または図８に述べた外部制御ループを含め、並行して利用される。
【００８９】
図９において、処理はステップ７０５で始まり、ここでマージンｍが初期化される。さらに、ｓ１の初期値が初期化される。図７に関して上で述べられたように、ステップ７０５〜７５０は実質的に動作する。第一のサブパケット誤り率は同じ比率、因数ｘ、及び上で述べた窓限界（任意に含まれれば）を用いて、誤り率ｓ１に従って制御される。しかしながら、マージンｍは第一のサブパケットに続くサブパケットに応じて更新されない。その代りに、誤り率ｓ１は次のサブパケットの成功または失敗にそれぞれ応じて増加、もしくは減少する。次のサブパケットが正しく受信されれば、判定ブロック７４５からステップ９１０に到達するであろう。ステップ９１０において、ｓ１は既定変数である因数ｊだけ増加する。このように、次のパケットに関する第一のサブパケット誤り率は増加するであろう。第一のサブパケットの次のサブパケットが旨く受信されなければ、判定ブロック７５０からステップ９２０に到達するであろう。ステップ９２０において、ｓ１は因数ｋ＊ｊだけ減少し、ここでｋは既定変数である。このように、次のパケットに関する第一のサブパケット誤り率は減少するであろう。パラメータｊ及びｋは第一のサブパケット誤り率ｓ１の上昇及び下降ステップ・サイズを決定し、そしてまた結果として生じる全体パケット誤り率を決定する。例えば、ｊ及びｋは１％の全体パケット誤り率を造出するために選択される。従って、第一のサブパケット誤り率ｓ１は変化するであろう。
【００９０】
上述の全ての実施例において、方法ステップは本発明の範囲から逸脱することなく置換えられることは注目されるべきである。ここに開示された記述は多くの場合１ｘＥＶ−ＤＶ規格に関連する信号、パラメータ、及び手順を引用してきたが、本発明の範囲はそういうものとして制限されない。当業者はここに他の様々な通信システムにその原理を容易に適用するであろう。これらの及び他の変更は当業者にとって明白であろう。
【００９１】
情報及び信号は様々な異なる技術及び技法のどれでも使用して表されることを当業者は理解するであろう。例えば、前述の記述を通して引用されるデータ、指示、命令、情報、信号、ビット、シンボル、及びチップは電圧、電流、電磁波、磁界または粒子、光学場または粒子、またはそれのあらゆる組合せによって表される。
【００９２】
ここに開示された実施例に関連して記述された様々な例示の論理的ブロック、モジュール、回路、及びアルゴリズム・ステップは電子ハードウェア、コンピュータ・ソフトウェア、または両者の組合せとして実施される。ハードウェア及びソフトウェアのこの互換性を明確に例示するために、様々な例示の部品、ブロック、モジュール、回路、及びステップは一般にそれらの機能性に関して述べられてきた。そのような機能性がハードウェアまたはソフトウェアとして実施されるかどうかは特定のアプリケーション及び全体システムに課せられた設計制約に依存する。当業者は記述された機能性を特定のアプリケーションについて様々な方法で実施するが、そのような実施の決定は本発明の範囲からの逸脱となると解釈されるべきでない。
【００９３】
ここに開示された実施例に関連して述べた様々な例示の論理的ブロック、モジュール、及び回路は汎用プロセッサ、ディジタル信号プロセッサ（ＤＳＰ）、特定用途向け集積回路（ＡＳＩＣ）、フィールド・プログラム可能ゲートアレイ（ＦＰＧＡ）または他のプログラム可能論理デバイス、個別ゲートまたはトランジスタ論理、個別ハードウェア部品、或いはここに述べられた機能を実行するために設計されたそのあらゆる組合せによって実施、或いは実行される。汎用プロセッサはマイクロプロセッサであるが、これに代るものにおいて、そのプロセッサはあらゆる従来のプロセッサ、コントローラ、マイクロコントローラ、または状態機械である。プロセッサは計算デバイスの組合せ、例えば、ＤＳＰとマイクロプロセッサの組合せ、複数のマイクロプロセッサ、ＤＳＰコアと連動する一以上のマイクロプロセッサ、或いはあらゆる他のそのような構成として実装される。
【００９４】
ここに開示された実施例に関連して述べた方法またはアルゴリズム・ステップは直接ハードウェアにおいて、プロセッサによって実行されるソフトウェア・モジュールにおいて、或いは二つの組合せにおいて具体化される。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ 、または当技術分野で既知の他のあらゆる他の形の記憶媒体にある。典型的な記憶媒体はそのようなプロセッサに接続され、そのプロセッサは記憶媒体から情報を読取り、且つ情報を記憶媒体に書込む。これに代るものでは、記憶媒体はプロセッサに統合される。プロセッサ及び記憶媒体はＡＳＩＣに在駐する。ＡＳＩＣはユーザー端末に在駐する。これに代るものでは、プロセッサ及び記憶媒体はユーザー端末中に個別部品として在駐する。
【００９５】
開示実施例の前の記述は当業者が本発明を行うか、もしくは使用することを可能にするために提供される。これらの実施例への様々な修正は当業者にとって明白であり、ここに定義された一般原理は本発明の精神または範囲から逸脱することなく他の実施例に適用される。このように、本発明はここに示された実施例に制限されることを意図するものではなく、ここに開示された原理及び新規な特徴と両立する最も広い範囲を与えられるべきである。
【図１】
2011151827.tif 000003
【図２】
2011151827.tif 000004
【図３】
2011151827.tif 000005
【図４】
2011151827.tif 000006
【図５】
2011151827.tif 000007
【図６】
2011151827.tif 000008
【図７】
2011151827.tif 000009
【図８】
2011151827.tif 000010
【図９】
2011151827.tif 000011
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
パケットを伝送するための送信器によって動作可能であり、各パケットが一以上のサブパケットで伝送される装置であって、
前記サブパケットの伝送に応じて誤りメッセージを受信するための受信器と；
第一のサブパケットが誤りとして受信されたことを誤りメッセージが示すとき電力マージンを第一の値だけ増加させ、且つ前記第一のサブパケットが誤りなしで受信されたことを誤りメッセージが示すとき電力マージンを第二の値だけ減少させるプロセッサと；
を具備する装置。
【手続補正２】
【補正対象書類名】明細書
【補正対象項目名】００９５
【補正方法】変更
【補正の内容】
【００９５】
開示実施例の前の記述は当業者が本発明を行うか、もしくは使用することを可能にするために提供される。これらの実施例への様々な修正は当業者にとって明白であり、ここに定義された一般原理は本発明の精神または範囲から逸脱することなく他の実施例に適用される。このように、本発明はここに示された実施例に制限されることを意図するものではなく、ここに開示された原理及び新規な特徴と両立する最も広い範囲を与えられるべきである。
以下に、本願発明の当初の特許請求の範囲に記載された発明を付記する。
［１］
パケットを伝送するための送信器によって動作可能であり、各パケットが一以上のサブパケットで伝送される装置であって、
サブパケット伝送に応じて誤りメッセージを受信するための受信器、及び
第一のサブパケットが誤りとして受信されたことを誤りメッセージが示すとき電力マージンを第一の値だけ増加させ、且つ第一のサブパケットが誤りなしで受信されたことを誤りメッセージが示すとき電力マージンを第二の値だけ減少させるプロセッサを具備する装置。
［２］
受信チャネル品質指標及び電力マージンに応じて伝送フォーマットを決定するためのスケジューラをさらに具備する、［１］記載の装置。
［３］
受信チャネル品質指標値はフィルタにかけられる、［２］記載の装置。
［４］
受信器はさらに無線通信デバイスからパイロット信号を受信し、且つ
スケジューラは受信パイロット信号エネルギーが所定の閾値を超えるときのみ無線通信デバイスへの伝送をスケジュールする、［２］記載の装置。
［５］
第一の値は第一のサブパケット誤り率に従って決定される、［１］記載の装置。
［６］
第二の値は第一のサブパケット誤り率に従って決定される、［１］記載の装置。
［７］
第一の値は所定のパラメータｘであり、第二の値はｓをサブパケット誤り率とすると、
ｘ・ｓ／（１−ｓ）
として計算される、［１］記載の装置。
［８］
プロセッサはさらに電力マージンの増加を所定の上限に制限する、［１］記載の装置。
［９］
プロセッサはさらに電力マージンの減少を所定の下限に制限する、［１］記載の装置。
［１０］
プロセッサはさらに、
第一のサブパケット以外のサブパケットがエラーなしで受信されたことを誤りメッセージが示すとき、電力マージンを第三の値だけ減少させ、且つ
最終のサブパケットが誤って受信されたことを誤りメッセージが示すとき、電力マージンを第四の値だけ増加させる、［１］記載の装置。
［１１］
第三の値はパケット誤り率に従って決定される、［１０］記載の装置。
［１２］
第四の値はパケット誤り率に従って決定される、［１０］記載の装置。
［１３］
第四の値は所定のパラメータｙであり、第三の値はｓ２をパケット誤り率とすると、
ｙ・ｓ２／（１−ｓ２）
として計算される、［１０］記載の装置。
［１４］
プロセッサはさらに、
第一のサブパケット以外のサブパケットが誤りなしで受信されたことを誤りメッセージが示すとき、ｓを第五の値だけ増加させ、且つ
最終のサブパケットが誤って受信されたことを誤りメッセージが示すとき、ｓを第六の値だけ減少させる、請求項７記載の装置。
［１５］
第五及び第六の値はパケット誤り率に従って決定される、［１４］記載の装置。
［１６］
制御パケットを伝送するための送信器によってさらに動作可能であって、
受信器はさらに制御誤りメッセージを受信し、且つ
プロセッサは制御チャネルが誤って受信されたことを制御誤りメッセージが示すとき制御マージンを増加させ、制御チャネルが誤り無しで受信されたことを制御誤りメッセージが示すとき制御マージンを減少せる、［１］記載の装置。
［１７］
受信器はさらにパイロット信号を受信し、且つ
プロセッサは受信制御誤りメッセージの値にかかわりなく、パイロット信号エネルギーが所定の閾値を超えないとき、制御誤りメッセージが誤りを示すとこを決定する、［１６］記載の装置。
［１８］
パケットを伝送するための送信器によって動作可能であり、各パケットが一以上のサブパケットで伝送される無線通信デバイスであって、
サブパケット伝送に応じて誤りメッセージを受信するための受信器、及び
第一のサブパケットが誤りとして受信されたことを誤りメッセージが示すとき第一の値だけ電力マージンを増加させ、且つ第一のサブパケットが誤りなしで受信されたことを誤りメッセージが示すとき第二の値だけ電力マージンを減少させるプロセッサを具備する無線通信デバイス。
［１９］
パケットを伝送するための送信器によって動作可能であり、各パケットが一以上のサブパケットで伝送される無線通信システムであって、
サブパケット伝送に応じて誤りメッセージを受信するための受信器、及び
第一のサブパケットが誤りとして受信されたことを誤りメッセージが示すとき第一の値だけ電力マージンを増加させ、且つ第一のサブパケットが誤りなしで受信されたことを誤りメッセージが示すとき第二の値だけ電力マージンを減少させるプロセッサを具備する無線通信システム。
［２０］
サブパケット伝送に応じて誤りメッセージを受信すること、
第一のサブパケットが誤って受信されたことを示すとき、電力マージンを第一の値だけ増加させること、及び
第一のサブパケットが誤りなしで受信されたことを示すとき、電力マージンを第二の値だけ減少させることを含むマージン制御の方法。
［２１］
チャネル品質指標を受信すること、及び
受信チャネル品質指標及び電力マージンに応じて伝送フォーマットを決定することをさらに含む、［２０］記載の方法。
［２２］
受信チャネル品質指標値をフィルタにかけることをさらに含む、［２１］記載の方法。
［２３］
パイロット信号を受信すること、及び
受信パイロット信号が所定の閾値を超えるときだけ伝送をスケジュールすることをさらに含む、［２１］記載の方法。
［２４］
第一の値は第一のサブパケット誤り率に従って決定される、［２０］記載の方法。
［２５］
第二の値は第一のサブパケット誤り率に従って決定される、［２０］記載の方法。
［２６］
第一の値は所定のパラメータｘであり、第二の値はｓをサブパケット誤り率とすると、
ｘ・ｓ／（１−ｓ）
として計算される、［２０］記載の方法。
［２７］
電力マージンの増加を所定の上限に制限することをさらに含む、［２０］記載の方法。
［２８］
電力マージンの減少を所定の下限に制限することをさらに含む、［２０］記載の方法。
［２９］
第一のサブパケット以外のサブパケットが誤りなしで受信されたことを誤りメッセージが示すとき、電力マージンを第三の値だけ減少させること、及び
最終のサブパケットが誤って受信されたことを誤りメッセージが示すとき、電力マージンを第四の値だけ増加させることをさらに含む、［２０］記載の方法。
［３０］
第三の値はパケット誤り率に従って決定される、［２９］記載の方法。
［３１］
第四の値はパケット誤り率に従って決定される、［２９］記載の方法。
［３２］
第四の値は所定のパラメータｙであり、第三の値はｓ２をパケット誤り率とすると、
ｙ・ｓ２／（１−ｓ２）
として計算される、［２９］記載の方法。
［３３］
第一のサブパケット以外のサブパケットが誤りなしで受信されたことを誤りメッセージが示すとき、ｓを第五の値だけ増加させること、及び
最終サブパケットが誤って受信されたことを誤りメッセージが示すとき、ｓを第六の値だけ減少させることをさらに含む、［２６］記載の方法。
［３４］
第五及び第六の値はパケット誤り率に従って決定される、［３３］記載の方法。
［３５］
伝送された制御パケットに応じて制御誤りメッセージを受信すること、
制御チャネルが誤って受信されたことを制御誤りメッセージが示すとき、制御マージンを増加させること、及び
制御チャネルが誤りなしで受信されたことを制御誤りメッセージが示すとき、制御マージンを減少させることをさらに含む、［２０］記載の方法。
［３６］
パイロット信号を受信すること、及び
受信制御誤りメッセージの値にかかわりなく、パイロット信号エネルギーが所定の閾値を超えないとき制御誤りメッセージが誤りを示すと決定することをさらに含む、［３５］記載の方法。
［３７］
サブパケット伝送に応じて誤りメッセージを受信する手段、
第一のサブパケットが誤って受信されたことを誤りメッセージが示すとき、電力マージンを第一の値だけ増加させる手段、及び
第一のサブパケットが誤りなしで受信されたことを誤りメッセージが示すとき、電力マージンを第二の値だけ減少させる手段を具備する装置。
［３８］
第一のサブパケット以外のサブパケットが誤りなしで受信されたことを誤りメッセージが示すとき、電力マージンを第三の値だけ減少させる手段、及び
最終サブパケットが誤って受信されたことを誤りメッセージが示すとき、電力マージンを第四の値だけ増加させる手段をさらに具備する、［３７］記載の装置。
［３９］
伝送された制御パケットに応じて制御誤りメッセージを受信する手段、
制御チャネルが誤って受信されたことを制御誤りメッセージが示すとき、制御マージンを増加させる手段、及び
制御チャネルが誤りなしで受信されたことを制御誤りメッセージが示すとき、制御マージンを減少させる手段をさらに具備する、［３７］記載の装置。
［４０］
サブパケット伝送に応じて誤りメッセージを受信する手段、
第一のサブパケットが誤って受信されたことを誤りメッセージが示すとき、電力マージンを第一の値だけ増加させる手段、及び
第一のサブパケットが誤りなしで受信されたことを誤りメッセージが示すとき、電力マージンを第二の値だけ減少させる手段を具備する無線通信システム。
［４１］
第一のサブパケット以外のサブパケットが誤りなしで受信されたことを誤りメッセージが示すとき、電力マージンを第三の値だけ減少させる手段、及び
最終サブパケットが誤って受信されたことを誤りメッセージが示すとき、電力マージンを第四の値だけ増加させる手段をさらに具備する、［４０］記載の無線通信システム。
［４２］
伝送された制御パケットに応じて制御誤りメッセージを受信する手段、
制御チャネルが誤って受信されたことを制御誤りメッセージが示すとき、制御マージンを増加させる手段、及び
制御チャネルが誤りなしで受信されたことを制御誤りメッセージが示すとき、制御マージンを減少させる手段をさらに具備する、［４０］記載の無線通信システム。
［４３］
サブパケット伝送に応じて誤りメッセージを受信するステップ、
第一のサブパケットが誤って受信されたことを誤りメッセージが示すとき、電力マージンを第一の値だけ増加させるステップ、及び
第一のサブパケットが誤りなしで受信されたことを誤りメッセージが示すとき、電力マージンを第二の値だけ減少させるステップ、を実行するため動作可能なプロセッサ可読媒体。
［４４］
第一のサブパケット以外のサブパケットが誤りなしで受信されたことを誤りメッセージが示すとき、電力マージンを第三の値だけ減少させるステップ、及び
最終サブパケットが誤って受信されたことを誤りメッセージが示すとき、電力マージンを第四の値だけ増加させるステップ、を実行するためさらに動作可能な、［４３］記載の媒体。
［４５］
伝送された制御パケットに応じて制御誤りメッセージを受信するステップ、
制御チャネルが誤って受信されたことを制御誤りメッセージが示すとき、制御マージンを増加させるステップ、及び
制御チャネルが誤りなしで受信されたことを制御誤りメッセージが示すとき、制御マージンを減少させるステップ、を実行するためさらに動作可能な、［４３］記載の媒体。
【外国語明細書】
2011151827000001.pdf